【手続補正書】
【提出日】平成18年3月27日(2006.3.27)
【手続補正１】
【補正対象書類名】明細書
【補正対象項目名】特許請求の範囲
【補正方法】変更
【補正の内容】
【特許請求の範囲】
【請求項１】  柔らかい弾力性基体を切開する多数のシャフトを備えてなる多シャフト切開装置であって、
前記シャフトのそれぞれが末端縁を有し、相互に非固定状態で相対移動して、前記末端縁を異なる速度で基体に向かって押すことにより前記基体を切開する少なくとも二つの切開シャフトを備えている多シャフト切開装置。
【請求項２】  前記シャフトが相互に対して相対移動して滑るように、近接し、かつ、並行に整列している請求項１記載の多シャフト切開装置。
【請求項３】  前記シャフトの縁が傾斜して、それぞれ鋭い縁を形成し、少なくとも二つの前記シャフトの傾斜面及び隣接する傾斜面が互いに反対側に向いている請求項２記載の多シャフト切開装置。
【請求項４】  前記シャフトの縁が傾斜して、鋭い縁を形成し、少なくとも二つの前記シャフトの傾斜面及び隣接する傾斜面が対向して形成されている請求項２記載の多シャフト切開装置。
【請求項５】  前記シャフトの縁が傾斜して、それぞれに鋭い縁が形成され、少なくとも二つの前記シャフトの隣接する傾斜面が同一方向に、かつ、整列して形成されている請求項２記載の多シャフト切開装置。
【請求項６】  前記シャフトが相対移動するように駆動する駆動機構を更に備えている請求項２記載の多シャフト切開装置。
【請求項７】  少なくとも一つの前記シャフトが、他のシャフトに対して長手方向の往復動作によって移動する請求項２記載の多シャフト切開装置。
【請求項８】  管を備えており、前記シャフトの１つが前記管の少なくとも一部を構成する請求項２記載の多シャフト切開装置。
【請求項９】  前記シャフトが回転動作を伴い移動する同心管である請求項２記載の多シャフト切開装置。
【請求項１０】  相互に関連して管を形成する前記シャフトを一部とし、一つのシャフトが他のシャフトに対して長手方向の往復動作によって移動する請求項２記載の多シャフト切開装置。
【請求項１１】  近接して並行に整列した二つのシャフトを備え、この二つのシャフトが相互に相対移動して滑る請求項１記載の多シャフト切開装置。
【請求項１２】  前記シャフトの相対移動を駆動する圧電駆動機構を更に備えている請求項１記載の多シャフト切開装置。
【請求項１３】  前記シャフトの相対移動を駆動する空気式駆動機構を更に備えている請求項１記載の多シャフト切開装置。
【請求項１４】  身体組織に貫入するための多シャフト切開装置において、
シャフトのそれぞれが末端縁を有し、相互に非固定状態で相対移動し、前記末端縁を異なる速度で柔らかい弾力性物質に向かって押して身体組織を切開する少なくとも二つの切開シャフトを備えている多シャフト切開装置。
【請求項１５】  前記各シャフトの末端縁が傾斜して傾斜面を有する鋭い縁を形成し、かつ、一つのシャフトが他のシャフトに対して往復動作して、それぞれが異なる時刻で身体に向かって移動するシャフトを駆動するための駆動機構を更に備えている請求項１４記載の多シャフト切開装置。
【請求項１６】  前記シャフトが、それぞれ管の少なくとも一部を構成する請求項１４記載の多シャフト切開装置。
【請求項１７】  前記シャフトを囲む管を備え、かつ、前記シャフトが切削する際、それぞれの末端縁が身体組織に接触するために前記管の外に突出している状態で、前記管の中を往復して滑る請求項１４記載の多シャフト切開装置。
【請求項１８】  柔らかい弾力性基体を切開する多数のシャフトによる切開方法であって、
前記シャフトがそれぞれ末端縁を有し、前記シャフトの末端縁が異なる速度で前記基体に向かって駆動されて該基体を切開する少なくとも二つの切開シャフトの一つのシャフトが他のシャフトに対して移動するように駆動する多シャフトによる切開方法。
【請求項１９】  前記切開シャフトを有する切開装置のシャフトが相互に関連しており、前記切開装置を基体に対して一つのシャフトで安定させ、少なくとも一つの他のシャフトを駆動して安定なシャフトに対して移動させて前記基体を切開する請求項１８記載の多シャフトによる切開方法。
【請求項２０】  前記シャフトを相互に滑らせて、前記シャフトを結合して流体が流れる溝を得る請求項１８記載の多シャフトによる切開方法。
【請求項２１】  前記それぞれのシャフトを間欠的に不連続動作で移動させる請求項１８記載の多シャフトによる切開方法。
【請求項２２】  前記シャフトの末端縁が、それぞれ傾斜して傾斜面のある鋭い縁を形成しており、前記二つのシャフトの隣接した傾斜面を互いに外側を向くように配置する請求項１８記載の多シャフトによる切開方法。
【請求項２３】  前記末端縁が傾斜してそれぞれ傾斜面のある鋭い縁を形成し、かつ、二つのシャフトの隣接した傾斜面が同一方向を向くように、前記シャフトを整列させる請求項１８記載の多シャフトによる切開方法。
【請求項２４】  前記少なくとも一つのシャフトを、他のシャフトに対して長手方向の往復動作によって移動させる請求項１８記載の多シャフトによる切開方法。
【請求項２５】  同心管である前記二つのシャフトを移動させ、かつ、前記同心管を回転動作によって移動させる請求項１８記載の多シャフトによる切開方法。
【請求項２６】  前記シャフトを相互に結合するように配置して管状溝を形成し、かつ、前記一つのシャフトを他のシャフトに対して長手方向の往復動作によって移動させる請求項１８記載の多シャフトによる切開方法。
【請求項２７】  更に、前記シャフトの相対移動を圧電的に駆動する請求項１８記載の多シャフトによる切開方法。
【手続補正２】
【補正対象書類名】明細書
【補正対象項目名】００１４
【補正方法】変更
【補正の内容】
【００１４】
図１は本実施形態における多シャフト切開装置の構成を示すブロック図であり、この場合は、血液試料採取装置１００である。図１において、多シャフト切開装置の血液試料採取装置１００は口先部１０２を備え、この口先部１０２は、駆動機構（ driver ）１０４による駆動で、身体組織を切開し又は組織に切り込むものである。容器（ container）１０６は、空洞又は室のような空間を有した流体連通によって口先部１０２に接続され、採取された血液が口先部１０２から送られてこの容器１０６に貯蔵される。随意選択的に、毛管現象（ capillary action ）又は真空装置（ vacuum-creating device ）からの吸い込みを使用して身体組織から血液を引き出すことが出来る。
【手続補正３】
【補正対象書類名】明細書
【補正対象項目名】００２８
【補正方法】変更
【補正の内容】
【００２８】
当業者は上記の手順を多様な手段で変更できる。例えば、往復動作の距離、速度及びタイミングを変更することが出来る。間欠切り込み動作の別の実施形態を図８に示す。図８は、本実施形態に係る回転の切り込み動作を行う口先部を示す斜視図であり、図２と同様な構造を有する内管及び外管における往復相対移動（間欠切り込み動作）は、長手方向ではなく回転動作である。組織を切る場合、好適には管の一方を静止したまま、他方を回転させる。この回転を使用すると、実質的に衝撃力を加えずに組織を切る剪断作用（ shearing action）を生ずる。したがって、一方の刃が、刃の曲げ及び薄切り動作（ curving, slicing motion）によって組織を切り、一方他方の刃は組織を固定し、このプロセスが逆になるごとに、反対になって管が交互に組織に切り込む。